(57)【要約】      （修正有）【課題】内径が巻芯の外径に等しくかつ真円に近いトロイダルコアを得ることのできる帯板の巻取装置及び巻取方法を提供する。【解決手段】帯板の巻取装置１０は、帯板１２が挿通可能なスリット１３ｃを有し軸方向に移動可能な円筒状の巻芯１３と、巻芯１３を第１サーボモータ２１で回転駆動する巻芯回転駆動機構２０と、巻芯１３の全長に渡って挿通され、その状態で巻芯に対して巻芯の回転中心を中心として回転可能で、かつ隙間２６ａが形成された係止棒２６と、係止棒２６を第２サーボモータで回転駆動する係止棒回転駆動機構とを備え、隙間２６ａは係止棒２６の外周の一部と巻芯１３の内周面との間に形成され、係止棒回転駆動機構は、巻芯回転駆動機構２０により回転する巻芯１３に対して係止棒２６を回転および同方向へ巻芯１３と係止棒２６とを同期回転させ、かつ巻芯１３に対して係止棒２６のみを逆方向へも回転させる機能を有する。【選択図】図１
2014051397.tif 000002
【特許請求の範囲】
【請求項１】
帯板(12)が挿通可能なスリット(13c)を有する円筒状の巻芯(13)と、
前記巻芯(13)を第１サーボモータ(21)で回転駆動する巻芯回転駆動機構(20)と、
前記巻芯(13)の全長に渡って挿通され、前記巻芯に対して前記巻芯の回転中心を中心として回転可能で、かつ隙間(26a)が形成された係止棒(26)と、
前記係止棒(26)を第２サーボモータ(28)で回転駆動する係止棒回転駆動機構(27)と
を備え、
前記隙間(26a)は前記係止棒(26)の外周の一部と前記巻芯(13)の内周面との間に形成され、
前記係止棒回転駆動機構(27)は、前記巻芯(13)に対して前記係止棒(26)のみを回転させる機能および前記巻芯(13)と前記係止棒(26)とを同期回転と停止させる機能を有する
ことを特徴とする帯板の巻取装置。
【請求項２】
スリット(13c)に挿通された帯板(12)が円筒状巻芯(13)の内周面に沿うように前記スリット(13c)が前記巻芯(13)の内面における接線に沿って形成され、前記巻芯(13)の外周面とスリット(13c)が交差する鈍角側角部(13d)に丸み付けが為された請求項１記載の帯板の巻取装置。
【請求項３】
スリット(13c)を有し軸方向に移動可能でかつ回転駆動する円筒状の巻芯(13)と前記巻芯(13)に挿通され、前記巻芯の回転中心を中心として回転可能な係止棒(26)の外周の一部との間に形成された隙間(26a)へ前記スリット(13c)を通過して帯板の先端部を進入させる工程と、
前記巻芯(13)に対して前記係止棒(26)のみを回転させて前記帯板(12)の先端部を咬持する工程と、
前記巻芯(13)と前記係止棒(26)とを前記回転と同方向へ同期回転させて帯板(12)を前記巻芯(13)の周囲に巻回する工程と、
前記係止棒(26)と前記巻芯(13)の回転を停止する工程と、
前記巻芯(13)に対して前記係止棒(26)のみを前記回転と逆方向に回転させて前記帯板(12)の先端部を解放する工程と、
前記巻芯(13)に巻回された磁性帯板(12)から前記巻芯(13)を抜き取る工程と
を備えることを特徴とする帯板の巻取方法。
【請求項４】
スリット(13c)を巻芯(13)の内面における接線に沿って形成し、
帯板の先端部を進入させる工程において前記スリット(13c)に挿通された前記帯板(12)を円筒状巻芯(13)の内周面に沿わせて、
前記帯板(12)の先端部を咬持する工程において前記帯板(12)の先端部を塑性変形させることなく咬持し、
前記巻芯(13)の外周面とスリット(13c)が交差する鈍角側角部(13d)に丸み付けを為して、
前記帯板(12)を前記巻芯(13)の周囲に巻回する工程において前記スリット(13c)に挿通された前記帯板(12)を前記巻芯(13)の外周面と交差する断面における鈍角側の丸み付けが為された角部(13d)に掛け回し、
前記巻芯(13)を抜き取る工程において前記スリット(13c)から離脱した前記帯板(12)の先端部を弾性復元力によって巻回された前記帯板(12)の内周面に沿うように円弧状に湾曲させる
ことを特徴とする請求項３記載の帯板の巻取方法。
【発明の詳細な説明】
【技術分野】
【０００１】
本発明は、帯板を巻芯に巻回する帯板の巻取装置及び巻取方法の改良に関するものである。
【背景技術】
【０００２】
例えば電源ラインフィルタ等のインダクターとして用いられるトロイダルコイルは、リング状のトロイダルコアと、このトロイダルコアの周囲に絶縁材を介して巻回される導線とから成る。従来、この種のトロイダルコイルを構成するトロイダルコアとして、磁性帯板の先端を挟んだ巻芯を回転させてその磁性帯板を幾十にも巻回し、巻回された磁性帯板から巻芯を抜き取ることにより得られたリング状のものが知られている。そして、この帯板の巻取方法として、図９に示すようなものが提案されている（例えば、特許文献１参照。）。
【０００３】
具体的に、この帯板の巻取方法では、図９（ａ）に示すように、巻芯２をその外周面に開口した係止凹部２ａを有する円柱状に形成し、図９（ｂ）に示すように、この係止凹部２ａに係止棒３を巻芯２の回転径方向から差し込んで磁性帯板４の先端部を折り返すことによりこの係止凹部２ａに係止し、図９（ｃ）に示すように、巻芯２及び係止棒３を互いに同期回転して磁性帯板４を巻芯２に巻回し、図９（ｄ）に示すように、係止棒３を巻芯２に対して巻芯２の回転径方向に移動して磁性帯板４の先端部を解放した後に係止棒３及び巻芯２を磁性帯板４の巻取部４ａから抜き取っている。そして、この帯板の巻取方法では、巻芯２を抜き取った後に解放された磁性帯板４の先端部をその弾性復元力によって既に巻回された磁性帯板４の内周面に沿うように湾曲させている。この方法であれば、磁性帯板４を幾十にも巻回した後の巻芯２に対して磁性帯板４の先端部を解放するので、巻芯２を円滑に抜き取ることができるとしている。
【先行技術文献】
【特許文献】
【０００４】
【特許文献１】特開２００４−１４９２３３号公報
【発明の概要】
【発明が解決しようとする課題】
【０００５】
しかし、上記従来の帯板の巻取方法では、磁性帯板４の先端部を係止する係止棒３を巻芯２の回転径方向から差し込む係止凹部２ａを円柱状の巻芯２の外周面に開口して形成している。このため、図９（ｄ）に示すように、その巻芯２に帯板４を巻取るとその係止凹部２ａの開口において帯板４は直線的に巻取られ、その開口を渡る部分が直線状を成すことから、得られたトロイダルコアの内径が巻芯２の外径よりも小さくなり、その内径の管理が困難になる不具合があった。また、この巻芯２に磁性帯板４を幾十にも巻回すると、巻芯２を抜き取った後においても、係止凹部２ａの開口を渡る直線部分がそのまま残存し、得られたトロイダルコアの内径が真円を描かない不具合もあった。
【０００６】
この不具合を解消するためには、係止凹部２ａの幅ｄを極力小さくすることが考えられるけれども、係止凹部２ａの幅ｄを小さくするとその係止凹部２ａに差し込まれる係止棒３の直径が小さくなり、その係止棒３により折り返される帯板４の先端が塑性変形して、係止棒３及び巻芯２を磁性帯板４の巻取部４ａから抜き取っても、解放された磁性帯板４の先端部が巻回された磁性帯板の内周面に沿わない不具合があった。
【０００７】
本発明の目的は、内径が巻芯の外径に等しくかつ真円に近いトロイダルコアを得ることのできる帯板の巻取装置及び巻取方法を提供することにある。
【課題を解決するための手段】
【０００８】
本発明の帯板の巻取装置は、帯板が挿通可能なスリットを有する円筒状の巻芯と、前記巻芯を第１サーボモータで回転駆動する巻芯回転駆動機構と、前記巻芯の全長に渡って挿通され、前記巻芯に対して前記巻芯の回転中心を中心として回転可能で、かつ隙間が形成された係止棒と、  前記係止棒を第２サーボモータで回転駆動する係止棒回転駆動機構とを備え、前記隙間は前記係止棒の外周の一部と前記巻芯の内周面との間に形成され、前記係止棒回転駆動機構は、前記巻芯に対して前記係止棒のみを回転させる機能および前記巻芯と前記係止棒とを同期回転と停止させる機能を有することを特徴とする。
この場合、スリットに挿通された帯板が円筒状巻芯の内周面に沿うようにスリットが巻芯の内面における接線に沿って形成され、巻芯の外周面とスリットが交差する鈍角側角部に丸み付けが為されたことが好ましい。
【０００９】
本発明の帯板の巻取方法は、スリットを有し軸方向に移動可能でかつ回転駆動する円筒状の巻芯と巻芯に挿通され、巻芯の回転中心を中心として回転可能な係止棒の外周の一部との間に形成された隙間へスリットを通過して帯板の先端部を進入させる工程と、巻芯に対して係止棒のみを回転させて帯板の先端部を咬持する工程と、巻芯と係止棒とを回転と同方向へ同期回転させて帯板を巻芯の周囲に巻回する工程と、係止棒と巻芯の回転を停止する工程と、巻芯に対して係止棒のみを回転と逆方向に回転させて帯板の先端部を解放する工程と、巻芯に巻回された磁性帯板から巻芯を抜き取る工程とを備えることを特徴とする。
【００１０】
この帯板の巻取方法では、スリットを巻芯の内面における接線に沿って形成し、帯板の先端部を進入させる工程においてスリットに挿通された帯板を円筒状巻芯の内周面に沿わせて、帯板の先端部を咬持する工程において帯板の先端部を塑性変形させることなく咬持し、巻芯の外周面とスリットが交差する鈍角側角部に丸み付けを為して、帯板を巻芯の周囲に巻回する工程においてスリットに挿通された帯板を巻芯の外周面と交差する断面における鈍角側の丸み付けが為された角部に掛け回し、巻芯を抜き取る工程においてスリットから離脱した帯板の先端部を弾性復元力によって巻回された帯板の内周面に沿うように円弧状に湾曲させることが好ましい。
【発明の効果】
【００１１】
本発明では、磁性帯板の先端部を巻芯の回転径方向から差し込むスリットを形成しているけれども、このスリットの幅は帯板が挿通可能であれば十分であるので、従来のように係止棒を挿通させる必要はない。このため、このスリットの幅を著しく狭くすることにより、得られたトロイダルコアの内径を巻芯の外径に等しくさせることができる。また、スリットを巻芯の内面における接線に沿って形成すれば、スリットに挿通された帯板は円筒状巻芯の内周面に沿い、その状態で係止棒により咬持されるので、その帯板の先端部が折り返されて塑性変形するようなことはない。また、スリットが巻芯の外周面と交差する断面における鈍角側の角部に丸み付けを行えば、そのスリットに挿通された帯板が滑らかにその外周に案内されるので、この角部において帯板が塑性変形するようなこともない。このため、係止棒とともに巻芯を巻回された磁性帯板から抜き取った場合、解放された磁性帯板の先端部が巻回された磁性帯板の内周面に確実に沿わせることができる。よって、本発明では、内径が巻芯の外径に等しくかつ真円に近いトロイダルコアを得ることができる。
【図面の簡単な説明】
【００１２】
【図１】本発明実施形態の帯板の巻取装置を示す正面図である。
【図２】図１のＡ−Ａ線断面図である。
【図３】図１のＢ−Ｂ線断面図である。
【図４】その巻芯を没入させた状態を示す図２に対応する断面図である。
【図５】その巻芯を没入させた状態を示す図３に対応する断面図である。
【図６】本発明の帯板の巻取方法を示す工程図である。
【図７】本発明の別の係止棒の形状を示す図１の拡大図に対応する図である。
【図８】本発明の更に別の係止棒の形状を示す図１の拡大図に対応する図である。
【図９】従来の巻取方法を示す工程図である。
【発明を実施するための形態】
【００１３】
次に本発明を実施するための最良の形態を図面に基づいて説明する。
【００１４】
図１〜図３に本発明の巻取装置１０を示す。この帯板の巻取装置１０は、矩形体から成る本体１１の前面から先端が突出して回転可能に設けられその先端に磁性帯板１２を巻回する巻芯１３を備える。磁性帯板１２としては、アモルファス金属からなるテープ状の薄板や、珪素鋼からなるテープ状の薄板等が例示される。図２及び図３に示すように、本体１１の裏面側には巻芯１３の軸方向に移動可能な軸受体１４が設けられる。巻芯１３は軸受体１４にベアリング１６を介して回転可能に支持された支持筒部１３ａと、その支持筒部１３ａに連続してその支持筒部１３ａと同軸に設けられた先端筒部１３ｂを備える。一方、本体１１には巻芯１３と同軸上に貫通孔１１ａが裏面側から前面側に貫通して形成され、巻芯１３における先端筒部１３ｂはその貫通孔１１ａを通過して先端が本体１１の前面から前方に突出するように構成される。この貫通孔１１ａの直径は、先端筒部１３ｂの外径との差が帯板１２の厚さ未満となるように、先端筒部１３ｂの外径より僅かに大きく形成される。
【００１５】
また、図１の拡大図に示すように、巻芯１３の本体１１の前面から突出する先端筒部１３ｂは円筒状に形成され、その先端部分には外周から内周に至り帯板１２が回転径方向外側から通過可能なスリット１３ｃが形成される。このスリット１３ｃは、円筒状巻芯１３の先端縁から軸方向に延びて形成され、断面形状で見た場合に、そのスリット１３ｃに挿通された帯板１２が円筒状巻芯１３の内周面に沿うように巻芯１３の内面における接線に沿って形成される。そして、そのスリット１３ｃが巻芯１３の外周面と交差する断面における鈍角側の角部１３ｄには丸み付けが為され、そのスリット１３ｃに回転径方向外側から挿通された帯板１２が滑らかにその外周に案内されるように構成される。
【００１６】
また、この巻取装置１０には、この巻芯１３を回転駆動する巻芯回転駆動機構２０が設けられる。図３に示すように、この実施の形態における巻芯回転駆動機構２０は巻芯１３に平行に軸受体１４に取付けられた第１サーボモータ２１を含み、この第１サーボモータ２１の回転軸２１ａと巻芯１３における支持筒部１３ａの端部にプーリ２２，２３がそれぞれ設けられる。これらのプーリ２２，２３にはベルト２４が掛け回され、第１サーボモータ２１における回転軸２１ａの回転がベルト２４を介して巻芯１３に伝えられ、これにより第１サーボモータ２１は巻芯１３を回転可能に構成される。
【００１７】
また、この巻取装置１０は、円筒状の巻芯１３に挿通された係止棒２６と、この係止棒２６を回転駆動する係止棒回転駆動機構２７を備える。係止棒２６は円筒状巻芯１３の内径より僅かに小さな外径を有する円柱状に形成され、巻芯１３の全長に渡って挿通され、その状態で巻芯１３に対して巻芯１３の回転中心を中心として回転可能に構成される。図１の拡大図に示すように、この係止棒２６の先端には、スリット１３ｃを通過した磁性帯板１２の先端部が進入する隙間２６ａが形成される。この隙間２６ａはスリット１３ｃの延長線上における係止棒２６の先端外周の一部をスリット１３ｃに平行に切り欠くことにより巻芯１３の内周面との間に形成される。
【００１８】
図２及び図３に示すように、この実施の形態における係止棒回転駆動機構２７は、その係止棒２６の基端側に係止棒２６と同軸に設けられた第２サーボモータ２８を含み、この第２サーボモータ２８はアングル部材２９を介して軸受体１４に固定される。この第２サーボモータ２８の回転軸２８ａはカプリング３１を介して係止棒２６の基端に連結され、この回転軸２８ａの回転を直接係止棒２６に伝えられるように構成される。この第２サーボモータ２８を含む係止棒回転駆動機構２７は、停止状態の巻芯１３に対して係止棒２６を回転させ、その先端におけるスリット１３ｃに対して隙間２６ａを移動させることにより、その磁性帯板１２の先端部を挟み込んで咬持し、逆に帯板１２を咬持した状態から係止棒２６を回転させてスリット１３ｃに隙間２６ａを対向させることにより磁性帯板１２の先端部を解放するように構成される。
【００１９】
図２に示すように、この巻取装置１０は、軸受体１４を本体１１に対して巻芯１３の軸方向に移動させる軸受体移動機構３６が設けられる。この軸受体移動機構３６は本体１１に巻芯１３を挟むようにその巻芯１３の両側に巻芯１３の軸方向に延びて設けられた一対のシリンダ３７，３７であり、このシリンダ３７，３７における出没軸３７ａ，３７ａの先端に軸受体１４が固定される。そして、このシリンダ３７の出没軸３７ａ，３７ａを没入させた図２に示す状態で巻芯１３の先端が本体１１の前面より突出し、この状態から図４に示すようにシリンダ３７の出没軸３７ａ，３７ａを突出させると軸受体１４が本体１１に対して巻芯１３の軸方向に移動し、その軸受体１４とともに巻芯１３も移動してその先端が本体１１の前面から本体１１内部に没入するように構成される。なお、図１、図２及び図４における符号３８は、巻芯１３の先端が本体１１内部に没入した状態で軸受体１４が先端の折曲部３８ａに当接し、これにより軸受体１４の移動範囲を制限する制限部材３８を示す。
【００２０】
そして、巻取装置１０は図示しないコントローラを備え、このコントローラは、巻芯回転駆動機構２０を構成する第１サーボモータ２１、係止棒回転駆動機構２７を構成する第２サーボモータ２８及び軸受体移動機構を構成するシリンダ３７，３７を予め設定されたプログラムに基づき制御するように構成される。また、この巻取装置１０には、図示しないが、磁性帯板１２を供給する供給機構、磁性帯板１２の途中を切断するカッタ、切断された磁性帯板１２の終端部を溶接して固定する溶接機等が備えられる。
【００２１】
なお、上記の第１サーボモータ２１、第２サーボモータ２８は、公知の「サーボ機構の電気的制御信号をトルクに変換し、負荷に回転あるいは変位を与えるために用いる電動機。」（「広辞苑  第二版補訂版」岩波書店  昭和５７年１０月１５日発行）とするものである。
【００２２】
特にサーボ機構とは、「制御量に注目したフィードバック系の分類であって、位置もしくは角度を制御量とする制御系の総称である。さらに場合によっては、位置および角度に関連した量である速度、角速度、さらには、加速度、力などを制御量とする制御系もサーボ機構に含めることがある。」（「機械工学便覧  新版４刷」  日本機械学会  １９９０年５月３１日）、とされるものである。
【００２３】
通常、サーボモータにおけるサーボ機構の電気的制御信号は、位置制御、速度制御、電流制御の３つから構成され、より高精度の制御を行うには、サーボ機構により急激な加速・減速・停止・逆転を迅速に対応できるようにプログラムにて設定されるものである。
【００２４】
本発明においては、「停止状態の巻芯１３に対して係止棒２６（のみ）を回転させ、その先端におけるスリット１３ｃに対して隙間２６ａを移動させることにより、その磁性帯板１２の先端部を挟み込んで咬持し、逆に帯板１２を咬持した状態から係止棒２６（のみ）を回転させてスリット１３ｃに隙間２６ａを対向させることにより磁性帯板１２の先端部を解放するように構成される。」との前述の説明に示すように、係止棒２６の回転の角度や停止位置、及び係止棒２６と巻芯１３との同期回転中での相対位置の維持、あるいは係止棒２６と巻芯１３が同期して同時に停止する場合において、高精度の回転速度と回転角度の正確な位置の制御を必要とされるものである。
【００２５】
このことから、トロイダルコアの内径の管理、及び真円を得るという本発明の目的においても、本発明を構成する巻芯回転駆動機構２０、係止棒回転駆動機構２７の駆動手段として、サーボモータを用いることが望ましい。
【００２６】
また、「予め設定されたプログラムに基づき制御する」とは、帯板の巻取方法について後述するように、（イ）停止状態の巻芯１３に対して係止棒２６を回転させる動作、（ロ）巻芯１３に対して係止棒２６の双方を同期回転させ等速度で同方向に回転させる動作、（ハ）巻芯１３と係止棒２６の双方を同期して同時に停止する動作、（ニ）停止状態の巻芯１３に対して係止棒２６を前述の方向と逆方向に回転させる動作、における第１サーボモータ２１と第２サーボモータ２８の回転速度や加減速時の加速度及び回転数や回転時間、ならびに回転角度の位置等、必要とされる条件を予めプログラムとして設定するものである。
【００２７】
次に上記巻取装置を用いて磁性帯板を巻回する本発明における帯板の巻取方法ついて説明する。
【００２８】
図６（ａ）に示すように、図示しない供給機構から供給される磁性帯板１２の先端部を巻芯１３の先端に形成されたスリット１３ｃにその回転径方向外側から挿入し、そのスリット１３ｃに連通する係止棒２６の隙間２６ａにスリット１３ｃを通過した帯板１２の先端部を進入させる。その後、図６（ｂ）に示すように、係止棒回転駆動機構２７（図２及び図３）により停止状態の巻芯１３に対して係止棒２６を回転させてスリット１３ｃに対して隙間２６ａを移動させ、これにより磁性帯板１２の先端部をそのスリット１３ｃと隙間２６ａとにより挟み込んで咬持し、磁性帯板１２の先端部をスリット１３ｃに挿通された状態でその巻芯１３に係止させる。
【００２９】
図６（ｃ）に示すように、続いて、巻芯１３を係止棒２６とともに回転させて磁性帯板１２を巻芯１３の周囲に巻回する。この実施の形態では、巻芯回転駆動機構２０を構成する第１サーボモータ２１と係止棒回転駆動機構２７を構成する第２サーボモータ２８の双方を同期回転させ、巻芯１３と係止棒２６を等速度で同方向に回転させる（図２及び図３）。このときの回転方向は、巻芯１３の内面における接線に沿うように形成されたスリット１３ｃに挿通された帯板１２が、巻芯１３の外周面と交差する断面における鈍角側の丸み付けが為された角部１３ｄに掛け回される方向とする。これにより、そのスリット１３ｃに挿通された帯板１２は滑らかに巻芯１３の外周に案内され、その磁性帯板１２を巻芯１３の周囲に速やかに巻回することができる。そして、巻芯１３と係止棒２６を同期回転させることにより、巻芯１３の内周面と隙間２６ａにより磁性帯板１２の先端部を咬持した状態を維持しつつ巻芯１３を回転させることができ、磁性帯板１２を巻芯１３に所定の回数だけ巻回した後にそれらの回転を同期して同時に停止する。磁性帯板１２を巻芯１３に巻回し終えると、磁性帯板１２を図示しないカッタによって切断し、切断された磁性帯板１２の終端部を溶接機４０によって磁性帯板１２の巻回部に溶接して固定する。
【００３０】
図６（ｄ）に示すように、続いて、係止棒２６を停止状態の巻芯１３に対して帯板１２を咬持した方向と逆方向に回転させてスリット１３ｃに隙間２６ａを対向させ、これにより磁性帯板１２の先端部を解放する。続いて、図６（ｅ）に示すように、巻芯１３を係止棒２６とともに巻回された磁性帯板１２から抜き取る。図４及び図５に示すように、この抜き取りは、軸受体移動機構３６により軸受体１４を本体１１に対して巻芯１３の軸方向に移動させることにより行われる。具体的には、巻芯１３の両側に巻芯１３の軸方向に延びて設けられた一対のシリンダ３７，３７における出没軸３７ａ，３７ａを突出させ、制限部材３８先端の折曲部３８ａ（図４）に軸受体１４が当接するまで軸受体１４を本体１１に対して移動させ、これにより巻芯１３の先端を本体１１の前面から本体１１内部に没入させる。
【００３１】
ここで、本体１１に形成されて巻芯１３の先端筒部１３ｂが貫通して設けられた貫通孔１１ａの直径と先端筒部１３ｂの外径との差が帯板１２の厚さ未満であるので、巻芯１３の先端が本体１１の前面から本体１１内部に没入する際に、その先端筒部１３ｂに巻回された帯板１２の一部又は全部が貫通孔１１ａと先端筒部１３ｂの間の隙間に入り込むことはない。このため、巻芯１３の先端が本体１１内部に没入する際に、巻芯１３の先端筒部１３ｂに巻回された帯板１２の側面は本体１１の前面に当接して巻芯１３の先端側に移動し、巻芯１３の没入が完了した段階でその巻回された帯板１２から巻芯１３は抜き取られることになる。
【００３２】
この巻芯１３の抜き取りに際して、スリット１３ｃに挿通されて隙間２６ａに進入した帯板１２の先端部も、その巻回された帯板１２の巻芯１３の先端側への移動に伴って巻芯１３及び係止棒２６の先端側に移動し、巻芯１３が抜き取られた段階でそのスリット１３ｃ及び隙間２６ａから離脱することになる。そして、巻芯１３を係止棒２６とともに巻回された磁性帯板１２から抜き取ると、図６（ｅ）の矢印で示すように、スリット１３ｃ及び隙間２６ａから離脱した磁性帯板１２の先端部は、その弾性復元力によって既に巻回された磁性帯板１２の内周面に沿うように円弧状に湾曲する。これにより巻回された磁性帯板１２から成るトロイダルコア１８を得ることができる。
【００３３】
以上のように磁性帯板１２を巻芯１３に巻回した後、係止棒２６を停止状態の巻芯１３に対して巻回した方向と逆方向に回転させることにより、巻芯１３に対して磁性帯板１２の先端部を解放するので、巻回された磁性帯板１２から成るトロイダルコア１８から係止棒２６及び巻芯１３を円滑に抜き取ることができる。よって、得られるトロイダルコア１８の品質、歩止まりの向上がはかられる。
【００３４】
また、本発明では、磁性帯板１２の先端部を巻芯１３の回転径方向から差し込むスリット１３ｃを形成しているけれども、このスリット１３ｃの幅Ｄ（図１）は帯板１２が挿通可能であれば十分であるので、従来のように係止棒を挿通させる必要はない。このため、このスリットの幅Ｄは、図９に示す従来の係止凹部２ａの幅ｄより著しく狭くすることができる。よって、図６（ｃ）に示すように、巻芯１３に帯板１２を巻取っても、スリット１３ｃが開口する巻芯１３の外周において帯板１２が直線的に巻取られるようなことはない。この結果、得られたトロイダルコア１８の内径を巻芯１３の外径に等しくさせることができる。
【００３５】
また、スリット１３ｃを巻芯１３の内面における接線に沿って形成しているので、そのスリット１３ｃに挿通された帯板１２は円筒状巻芯１３の内周面に沿い、その状態で係止棒２６により咬持されるので、その帯板１２の先端部が折り返されて塑性変形するようなことはない。また、スリット１３ｃが巻芯１３の外周面と交差する断面における鈍角側の角部１３ｄに丸み付けを行い、そのスリット１３ｃに回転径方向外側から挿通された帯板１２が滑らかにその外周に案内されるようにしているので、この角部１３ｄにおいて帯板１２が塑性変形するようなこともない。このため、係止棒２６とともに巻芯１３を巻回された磁性帯板１２から抜き取った場合、解放された磁性帯板１２の先端部を巻回された磁性帯板１２の内周面に確実に沿わせることができる。よって、本発明では、内径が巻芯１３の外径に等しくかつ真円に近いトロイダルコア１８を得ることができる。
【００３６】
また、上記実施の形態では、巻芯１３に対して係止棒２６を回転させる係止棒回転駆動機構２７として第２サーボモータ２８を用いるので、係止棒２６を回転させるトルク及び回転量を制御することができる。このため、磁性帯板１２の先端部を隙間２６ａがスリット１３ｃとともに咬持する力を、巻芯１３に巻取る帯板１２の種類により調整することが可能となる。一方、係止棒回転駆動機構２７として第２サーボモータ２８を用いても、巻芯回転駆動機構２０における第１サーボモータ２１により巻芯１３及び係止棒２６を互いに同期回転させることにより、巻芯１３を回転させる際に磁性帯板１２の先端部を咬持した状態を維持することに支障を来すことはない。
但し、係止棒回転駆動機構２７が第２サーボモータ２８を含むことに限定するものではなく、サーボモータを用いることなく、巻芯１３に対して係止棒２６を回転させるうえでサーボモータと同じような性能を備えた他の機構を用いても良い。
【００３７】
なお、上述した実施の形態では、スリット１３ｃの延長線上における係止棒２６の先端外周の一部をスリット１３ｃに平行に切り欠くことにより巻芯１３の内周面との間に形成された隙間２６ａを説明したが、この形状に限定されるものではなく、この隙間２６ａは、例えば係止棒２６の先端外周の一部を切削又は切り欠くことにより巻芯１３の内周面との間に形成されるものであって、スリット１３ｃに対して移動することにより磁性帯板１２の先端部を咬持可能である全ての形状を含むものとする。例えば、図７に示すように、断面がへの字を為すようにスリット１３ｃに平行な平行部２６ｂとスリット１３ｃに対して傾斜してそのスリット１３ｃに向かってそのスリット１３ｃとの間隔が広がる傾斜部２６ｃとを備えるようなものであっても良く、図８に示すように、係止棒２６の先端外周の一部又は全部を切削してその先端形状を係止棒の中心軸から中心が偏倚した真円又は楕円とし、その外周面を巻芯１３の内周面との間に生じる隙間２６ａとしても良い。
【００３８】
図７及び図８に示すような隙間２６ａであれば、図７（ａ）及び図８（ａ）に示すように、傾斜部２６ｃ又は湾曲面により磁性帯板１２の隙間２６ａへの挿入が容易となるとともに、図７（ｂ）及び図８（ｂ）に示すように、係止棒２６を回転させると、その傾斜部２６ｃ又は湾曲面が帯板１２に面接触してスリット１３ｃとともにその先端部を挟むことになるので、帯板１２の先端部がその挟み込みに基づいて損傷するようなことを回避することが期待できる。
【符号の説明】
【００３９】
１０ 巻取装置
１２ 磁性帯板
１３ 巻芯
１３ｃ スリット
１３ｄ 鈍角側角部
２０ 巻芯回転駆動機構
２６ 係止棒
２６ａ 隙間
２７ 係止棒回転駆動機構
【図１】
2014051397.tif 000003
【図２】
2014051397.tif 000004
【図３】
2014051397.tif 000005
【図４】
2014051397.tif 000006
【図５】
2014051397.tif 000007
【図６】
2014051397.tif 000008
【図７】
2014051397.tif 000009
【図８】
2014051397.tif 000010
【図９】
2014051397.tif 000011